(57)【要約】【課題】弁当の米飯上にふりかけ等により動物やキャラクターあるいは漫画、乗物等の絵柄や文字の輪郭形状あるいはワンポイントマーク、エクスクラメーション形状を形成するための調理用シートを提供する。【解決手段】米飯上にふりかけ等により動物やキャラクターあるいは漫画、乗物等の絵柄や文字あるいはワンポイントマーク、エクスクラメーション形状を形成する貫通孔を設けたプラスチックシートであって、プラスチックシートがポリメチルペンテン樹脂単体シートか、または少なくても片側面にポリメチルペンテン樹脂層が形成されている調理用シート。【選択図】図１
2004329267.tif 000002
【特許請求の範囲】
【請求項１】
米飯上にふりかけ等による絵柄や文字を形成する貫通孔を設けたプラスチックシートであって、プラスチックシートがポリメチルペンテン樹脂単体シートか、または少なくても片側面にポリメチルペンテン樹脂層が形成されていることを特徴とした調理用シート。
【発明の詳細な説明】
【０００１】
【発明の属する技術分野】
本発明は、米飯上にふりかけ等により絵柄や文字を形成するための調理用シートに関する。
【０００２】
【従来の技術】
幼稚園や保育園の園児をはじめ、多くの人が旅先、行楽地、学校、職場あるいはハイキングでの弁当等に詰められる米飯上に動物やキャラクター、乗り物、文字等を施し、綺麗で、美味しそうで、見栄え良く、食欲を誘うためなど、視覚で味わう楽しさ等興趣性を増すいろいろな工夫を凝らしている。また、これに対応するための調理材や成形備品等も多く販売されている。
【０００３】
米飯上や饅頭、おにぎり、蒲鉾、アイスクリーム、ケーキ等の食べ物に動物や文字あるいは漫画などのキャラクターを施すための調理材として、動物や文字あるいはキャラクターを、可食フイルムに可食インキを用いて印刷されているものが開示され、販売もされている。（例えば、特許文献１、特許文献２、特許文献３、特許文献４、）
また、同様に米飯上に形成される動物や文字あるいはキャラクター、乗物等の形状に打ち抜き加工が施されている海苔も販売され、また同様のものが開示されている。（例えば、特許文献５）
【０００４】
さらに、米飯上に動物や文字あるいはキャラクター、乗物等を施すための成形備品として、動物などの輪郭形状に成形加工され弁当箱と前記動物などの顔の各部に対応した形状の貫通孔が形成されているマスキングプレートを用いて、米飯を動物の輪郭形状に成形し、さらに動物の輪郭形状に成形された米飯上にふりかけによる絵柄を形成する成形型と弁当箱も開示されている。（例えば、特許文献６）
【０００５】
【特許文献１】
特開平５−２７６８９３号公報
【特許文献２】
特開平６−１１３７４６号公報
【特許文献３】
特開平６−１１３７８８号公報、
【特許文献４】
特開２００１−７８６８１号公報、
【特許文献５】
実開平６−３８５８４号公報、
【特許文献６】
特開２００２−３２０４５６号公報、
【０００６】
【発明が解決しようとする課題】
このように、米飯上あるいは饅頭、おにぎり、蒲鉾、アイスクリーム、ケーキ等の食べ物に動物や文字あるいはキャラクター、乗物等を施す調理材は可食インキで可食フイルムに動物や文字あるいはキャラクター、乗物等が印刷あるいは転写されて形成されているために、印刷あるいは転写されている可食インキ層の厚みが薄いために可食インキあるいは可食フイルムで米飯あるいは饅頭、おにぎり、蒲鉾、アイスクリーム、ケーキ等の食べ物の味覚を一層向上させることがでない。また可食インキで印刷されている動物や文字あるいはキャラクター、乗物等が米飯上で蒸気あるいは水分等により印刷されていた絵柄や文字の可食インキ部分が流れ、絵柄や文字が不鮮明になると言う問題がある。さらに可食フイルムに直接可食インキで絵柄や文字を印刷する場合には可食フイルムを厚くしなければならない、しかし可食フイルムを厚くすると可食フイルムにヒビ割れが発生するために可食フイルム以外で可食フイルムを保護するための基材フイルムが印刷加工時に必要となっている。さらに湿度による変化が大きいために印刷されて後、防湿性を考慮した包装を施さなければならない。この様なことで価格が非常に高くなることなどにより、米飯上に載置して使用する調理材としては好ましくない。
【０００７】
また、米飯上に形成される動物や文字あるいはキャラクター、乗物等の形状に打ち抜き加工が施されている（特許文献５）のお弁当用海苔グッズと略同様の市販されている海苔は動物や文字あるいはキャラクター、乗物等の形状に打ち抜かれ、同じ形状に打ち抜かれている海苔が数枚一パックに密封包装されている。このために毎日同じ動物や文字あるいはキャラクター、乗物等の海苔を米飯上に載せて使用することも興趣性に乏しく出来ないために何日かおいて使用されているが、使用後の保存状態が悪いと海苔が湿ったりあるいは海苔同士がくっつきあい使用出来なくなったり、あるいは縮んで見栄えが悪く全く使用出来なくなったりしている。また使用するときに弁当箱等に米飯が満杯し蓋と米飯が接触している場合には米飯上に載置されている動物や文字あるいはキャラクター、乗物等の形状に形成されている海苔が蓋の内側に接着し形状が崩れると言う問題がある。また温かい米飯上に載置したときに縮んで綺麗に打ち抜かれている絵柄や文字が見栄えの悪いただの黒い海苔が載置されている状態となる等興趣性に乏しいと言う問題がある。さらに、米飯上に載置されている動物や文字あるいはキャラクター、乗物等が海苔であるために好き嫌いがあり、且つ色彩にも乏しいく、米飯の味覚を向上させるためのおかずとしも不向きである。さらに動物や文字あるいはキャラクター、乗物等の小さな箇所や細い線などを再現することが困難であり、米飯上の動物や文字あるいはキャラクター、乗物等を形成して視覚で味を楽しむことが難しい。
【０００８】
次に、動物や文字あるいはキャラクターまたは乗物の形状に米飯を成形し、さらに成形された米飯上にふりかけ等により絵柄を形成する（特許文献６）に記載の成形備品はインジュクション成形加工により弁当箱と米飯を動物や文字あるいはキャラクターまたは乗物の輪郭形状に成形する成形型と、さらに成形された米飯上に動物の顔を形成させるためのふりかけ等をふりかけるマスキングプレート等が作製されている。弁当箱と米飯を動物等の輪郭形状に成形する成形型と、マスキングプレートは全てインジュクション成形加工により作製されているために、各成形備品を作成する場合にはインジュクション成形用金型を作製しなければならないために、多額の金型費用がかかる。この為に弁当箱と米飯を動物等の輪郭形状に成形する成形型、マスキングプレートが非常に高価となり、興趣性を工夫するために異なった形状の弁当箱と米飯を動物等の輪郭形状に成形する成形型、およびマスキングプレートを幾種類も個人で購入することは困難であり、弁当を持参する日々の状況に応じた絵柄や文字等の形状をタイムリーに替えて楽しい、美味しそうな、食欲を誘うような弁当箱の米飯上の絵柄や文字を形成することは難しい。さらに、米飯上にマスキングプレートを載置してふりかけをかけた後でマスキングプレートを取り外す時に、マスキングプレートに米飯の一部が付着し、綺麗にふりかけ等で形成された絵柄や文字が部分的にかける問題がある。さらにマスキングプレートがインジュクション成形で作製されているために、米飯上に載置されるマスキングプレートの貫通孔を小さく、且つ狭い形状を施すことが不可能であるために、米飯上にふりかけ等によりふりかけられて形成している動物や文字あるいはキャラクターまたは乗物の形状が粗雑になり、綺麗な絵柄や文字を形成することが出来ない。さらに弁当箱や米飯を動物等の輪郭形状に成形する成形型あるいはマスキングプレートなどを使用した後の洗浄において各成形備品がインジュクション成形で施され、凹凸が多いために洗浄し難く、付着物が落とし難く、保管中にカビ等が発生すると言う問題がある。さらに、インジュクション成形であるために折り曲げたり、畳んだりすることが出来ず保管する場合にかさばり、保管スペースが必要となると言う問題もある。
【０００９】
本発明は上記のような問題に着目してなされたもので、弁当を持参し、食する場所あるいは仲間、雰囲気、曜日等に応じて、デザートあるいはおかずとの兼ね合い等により米飯上に興趣性をタイムリーに発揮出来る動物や文字あるいはキャラクターまたは乗物の等の形状を安価で米飯が付着せず、さらに使用後の洗浄等の処理が簡単で、ふりかけるふりかけ等の厚さも調整可能で、且つ細かい絵柄や文字も美しく形成でき、米飯上が綺麗で、美味しそうで、見栄え良く、食欲を誘うことはもとより、視覚で味わう楽しさを得ることができ、さらに調理備品として保管する場合に場所をとらない調理用シートを提供する。
【００１０】
【課題を解決するための手段】
本発明は上記の課題を解決するために成されるもので、請求項１に係る発明は、米飯上にふりかけ等による絵柄や文字を形成する貫通孔を設けたプラスチックシートであって、プラスチックシートがポリメチルペンテン樹脂単体シートか、または少なくても片側面にポリメチルペンテン樹脂層が形成されていることを特徴とした調理用シートである。
【００１１】
【発明の実施の形態】
本発明の調理用シートを実施の形態に沿って以下に図面を参照しながら詳細に説明する。図１〜図８は本発明の調理用シートの一実施形態を示す。図１（ａ）は本発明に係る一実施形態の米飯が詰められた弁当箱の平面を示す平面図、  （ｂ）は図１（ａ）  の弁当箱に本発明の調理用シートを用いてふりかけ等により動物の顔が形成された平面を示す平面図、図２は本発明の調理用シートにより形成される絵柄の一実施形態の平面を示す平面図、図３は本発明の調理用シートの一実施形態の平面を示す平面図、図４（ａ）は本発明の調理用シートの他の一実施形態の平面を示す平面図、図４（ｂ）は本発明の調理用シートのまた他の一実施形態の平面を示す平面図、図５（ａ）は本発明に係る調理用シートを用いて弁当箱の米飯上にふりかけ等により文字が形成された一実施形態の平面を示す平面図、（ｂ）は図５（ａ）のふりかけ等による文字を形成させる調理用シートの一実施形態の平面を示す平面図、図６は本発明の調理用シートが形成されるプラスチックシートの一実施形態の断面を示す断面図、    図７は本発明の調理用シートが形成されるプラスチックシートの他の一実施形態の断面を示す断面図、図８は本発明の調理用シートが形成されるプラスチックシートのまた他の一実施形態の断面を示す断面図である。
【００１２】
図１（ａ）は本発明に係る一実施形態の米飯が詰められた弁当箱の平面を示す平面図である。食するものの多くは食するものをまず視覚で味わうことから、調理されたもの、さらに調理されたものが詰め合わされたものが、綺麗で、美味しそうで、見栄え良く、豪華で、食欲を誘うことが要求されている。また、幼稚園あるいは保育園の園児をはじめ、多くの人が旅先や行楽地、ハイキングあるいは学校や職場で食する弁当においても同様である。図１に示すような弁当（１）を作る場合には一般にあらかじめおかず（４）類を調理しておき、弁当箱（２）に米飯（３）をつめた後、調理されているおかず（４）類を見栄え良く、美しく詰め合わせするか、または全く反対に弁当箱（２）に調理されているおかず（４）類を見栄え良く美しく詰め合わせた後に米飯（３）を詰めるかの何れかの手順により弁当を作っている。さらに弁当箱におかず（４）や米飯（３）が詰められた後に、米飯（３）部分が真白で物寂しいために梅干しを置いたり、ごま塩や、あるいはふりかけ等がふりかけられている。
【００１３】
また、図１（ｂ）は図１（ａ）の弁当箱（２）の米飯（３）上に本発明の調理用シートにより動物の顔（５）がふりかけ等により形成された一実施形態の平面を示す平面図である。弁当箱（２）におかず（４）や米飯（１）が詰められた後、米飯（３）部分が真白で物寂しいために米飯（３）の上に本発明の動物やキャラクター、乗り物、文字等の形状に貫通孔が施されている調理用シートの好きな絵柄あるいは文字の中から動物の顔（５）を載置した後に、載置した動物の顔（５）が形成されている調理用シートの貫通孔部分の上側からふりかけ等がふりかけられた後に、米飯（３）上に載置した動物の顔（５）が形成されている調理用シートを米飯（３）上から取り除くと同時に米飯（３）上にふりかけ等による細かい曲線もくっきりと形成された可愛らしく、綺麗な動物の顔（５）が作成される。米飯（３）上に可愛らしく、綺麗な動物の顔（５）が形成されたことにより、視覚で味を味わい、食欲を誘い、興趣性に富んだ弁当（１）が作られる。また、米飯（３）上から取り除かれた調理用シートは米飯（３）が付着せず、ふりかけられたふりかけ等も容易に取り除く事が出来る。さらに本発明の調理用シートは熱い米飯（３）上に載置してものびたり、縮んだり、あるいは変形したりすることがない。また、フイルム状であるために洗浄しやすく、貫通孔等に付着物等が残ることも全くなく高熱あるいは蒸気による洗浄殺菌も容易に施す事が出来る。また、フイルム状であるために保管する場所も取らずどこにでも容易に保管することが出来る。
【００１４】
次に、図２は本発明に係る調理用シート（１００）で形成された絵柄の一実施形態の平面を示す平面図である。また、図３は図２に示す絵柄を形成するための本発明の調理用シート（１００）の一実施形態の平面を示す平面図である。米飯（３）上に図２に示すような動物の顔（５）の絵柄が図３に示す調理用シート（１００）とふりかけ等（６〜１５、１５′）により形成される。調理用シート（１００）は一枚の適宜の大きさのプラスチックシートに動物の顔（５）が形成される部分が打ち抜き機等により打ち抜かれ貫通孔が施されている。また、動物の顔（５）の円形状の輪郭部分（３３）がふりかけ等により形成される貫通孔（１８、１９、２０）は目を形成する貫通孔（２１、２２）、鼻を形成する貫通孔（２３）、口を形成する貫通孔（２４）が施されている顔面部（３２）とつなぎ部（２６〜２８）を介して連設され一体化されている。つなぎ部（２６〜２８）を形成することにより、ふりかけ等により形成される動物の顔（５）の輪郭部（１２〜１５、１５′）周縁幅が不揃いになることがない。図３に示すようにつなぎ部（２２、２７、２８）が形成されている調理用シート（１００）を米飯（３）上に載置して、載置した調理用シート（１００）の貫通孔の上側から適宜の量のふりかけ等（６〜１５、１５′）をふりかけた後に調理用シート（１００）を取り除くと同時に図２に示すような動物の顔（５）がふりかけ等（６〜１５、１５′）で形成される。また、図２に示すようにふりかけ等（６〜１５、１５′）で形成された動物の顔（５）の輪郭部（１２〜１５、１５′）に相当する図３の貫通孔輪郭部分（１８〜２０）がつなぎ部（２６〜２８）を介して連設されていることによりつなぎ部（２６〜２８）に相当する図２の輪郭部（１２〜１５、１５′）を切断している非塗布部（２９〜３０）はふりかけ等がかからない部分が形成される。
【００１５】
また、図４（ａ）および（ｂ）は本発明の調理用シート（１００）のまた他の一実施形態の平面を示す平面図である。図４（ａ）および（ｂ）に示す調理用シート（１００）は図２に示すように、ふりかけ等（６〜１５、１５′）により動物の顔（５）の輪郭部（１２〜１５、１５′）にふりかけ等のかからない非塗布部（２９〜３１）のない動物の顔（５）を形成させると共に、動物の顔（５）の目、鼻、口、が形成されている貫通孔を有する顔面部（３２）の載置する向きにより、動物の顔（５）の表情変化をもたらすために二枚の調理用シート（１００）を用いることにより、ふりかけ等により、表情変化をもたらせた動物の顔（５）が米飯上に形成される。この調理用シートの一枚は図４（ａ）に示すように動物の顔（５）の耳（１６、１７）の部分も含めた貫通孔輪郭部分（３４）が打ち抜き機等により打ち抜かれ貫通孔として形成されている調整用シートと、もう一枚は図４（ｂ）に示す動物の顔（５）の目を形成する貫通孔（２１）、鼻を形成する貫通孔（２３）、口を形成する貫通孔（２４）が施され、さらに動物の顔（５）の内側周縁を形成する顔面部（３２）が打ち抜き機で打ち抜かれた調理用シート（１００）からなっている。この二枚の調理用シート（１００）を用いて米飯上にふりかけ等により動物の顔（５）を形成する場合には、まず米飯上に動物の顔（５）の貫通孔輪郭部（３４）が貫通孔として形成されている図４（ａ）に示す調理用シート（１００）を載置し、つづいて動物の顔（５）の目、鼻、口に貫通孔が形成されている顔面部（３２）の調理用シートを貫通孔輪郭部（３４）の貫通孔が形成されている適宜の位置に載置した後、貫通孔が形成されている上側からふりかけ等をふりかけた後、図４（ｂ）に示す顔面部（３２）の調理用シート（１００）を米飯上より取り除き、さらに図４（ａ）に示す貫通孔輪郭部分（３４）の調理用シート（１００）を米飯上から取り除くことにより、米飯上にふりかけ等により図２に示すような非塗布部（２９〜３１）のない動物の顔が形成される。
【００１６】
次に、図５（ａ）は弁当箱（２）に詰められた米飯（３）上にふりかけ等による文字が形成された一実施形態を示す平面図である。また、図５（ｂ）は図５（ａ）に示す米飯（３）上にふりかけ等による文字（５５）あるいはポイントマーク、エクスクラメーションマーク等の形状に貫通孔が施されている本発明の調理用シート（１００）の一実施形態を示す平面図である。弁当（１）は食する人に心を込めて綺麗で、美味しそうで、見栄え良く、豪華で、さらに視覚で味わい、食欲を誘う事が要求されるほかに、弁当（１）を作る人は食する人を励まし、思いやり、心を込めて作る事も求められている。また、食する人が食する時に弁当（１）を作った人を思い出し、感謝して食することでお互いの絆が形成される。米飯（３）上の部分か真白で物寂しい部分に動物やキャラクターあるいは乗物等の絵柄でなく、心を込めたふりかけ等により文字（５５）が施されていることにより、食する人が食する時に気持ち良く快活な気分となり、食欲を誘い、美味しく食することができる。図５（ａ）は上記のように食する人を思いやり、心を込めたふりかけ等による文字（５５）が本発明の調理用シート（１００）を用いて米飯（３）上に形成される。さらに、図５（ａ）に示すように食する人を思いやるふりかけ等による文字（５５）を米飯（３）上に形成するために図５（ｂ）に示すように米飯（３）上の真白で物寂しい部分に興趣性を工夫するための幾つかの文字あるいはワンポイントマーク、エクスクラメーションマーク等の形状が貫通孔（４４〜４８）により形成されている調理用シート（１００）を用いて米飯（３）上にふりかけ等により形成したい文字を調理用シート（１００）から選び、米飯上に選ばれた文字が貫通孔として形成されている部分を載置した後に貫通孔の上側からふりかけ等をふりかけた後に、調理用シート（１００）を米飯（３）上から取り除く事で米飯（３）上にふりかけ等による文字（５５）が形成される。さらに別の文字あるいはエクスクラメーションマーク等を形成したい場合にも同様の方法で文字あるいはエクスクラメーションマーク等の形状に貫通孔が形成されている調理用シート（１００）を真白な米飯（３）上に載置して、載置した貫通孔部分にふりかけ等をふりかけ事によりなされる。また、文字あるいはワンポイントマーク、エクスクラメーションマーク等の形状の大きさあるいは書体、言葉（用語）等の異なる調理用シート（１００）はプラスチックシートを打ち抜き機を用いて容易に且つ安価に作製できる。
【００１７】
プラスチックシートに動物やキャラクター、乗り物、文字等の貫通孔は絵柄や文字等の形状に切り刃が施されている抜き型によりビクトリアあるいはトムソン型の圧式打ち抜き機か、あるいは抜き型が平らでプラスチックシートがシリンダーに巻き付くハイデル型の円圧式打ち抜き機か、両方がシリンダータイプによるシャンボン型の輪転式打ち抜き機など公知の打ち抜き機を用いてなされるが、シリンダータイプによる輪転式打ち抜き機は打ち抜きシリンダーが高価であるが精度も良く、大量生産の打ち抜きに適している。
【００１８】
次に、図６は本発明の調理用シートが形成されるプラスチックシートの一実施形態の断面を示す断面図である。図６においてプラスチックシート（４９）はポリメチルペンテン樹脂層（５３）と、このポリメチルペンテン樹脂層（５３）の一方の面に形成された補強・調整樹脂層（５２）からなる。また、本発明の調理用シートが形成されるプラスチックシート（４９〜５１）は図には示していないがポリメチルペンテン樹脂層（５３）単体であってもよく、図７に示すようにポリメチルペンテン樹脂層（５３）が両面に設けるものであってもよい。また補強・調整樹脂層（５２）は、透明であっても不透明であってもよい。調理用シートを用いて米飯上に絵柄や文字をふりかけ等により形成するときに必要性がある場合には、透明なポリメチルペンテン樹脂層（５３）、および透明な補強・調整樹脂層（５２）より構成できる。
【００１９】
本発明の調理用シートが形成されるプラスチックシート（４９、５０、５１）の補強・調整樹脂層（５２）はポリメチルペンテン樹脂層（５３）の厚さを補強し、さらにふりかけ等をふりかける量（厚み）の調整になされるものであり、耐熱性、耐水性、耐油性を有していれば特に制限はない。例えば補強・調整樹脂層（５２）に用いられる樹脂としてポリプロピレン（ＰＰ）樹脂、ポリエチレンテレフタレート（ＰＥＴ）樹脂、ナイロン６、ナイロン１２、共重合ナイロン等のポリアミド（ＰＡ）樹脂、ポリイミド（ＰＩ）樹脂、ポリカーボネート（ＰＣ）樹脂、ポリエーテルエーテルケトン（ＰＥＥＫ）樹脂等が用いられるが、調理用シートを使用する場合の作業適正、コスト等の点でポリプロピレン（ＰＰ）樹脂が好ましい。また、補強・調整樹脂層（５２）の厚さは調理用シートに形成される動物やキャラクター、乗物等の絵柄や文字、あるいはふりかけ等をふりかけて絵柄や文字が形成される厚さ等用途に応じ通常０．１ｍｍ〜６．５ｍｍ、好ましくは０．３ｍｍ〜２．０ｍｍの範囲で選択される。さらに、上記の補強・調整樹脂層（５２）の樹脂材料中には添加剤、帯電防止剤、可塑剤、滑剤、着色剤等、公知添加剤を添加することが出来る。
【００２０】
次に、図７は本発明の調理用シートが形成されるプラスチックシート（５０）の他の一実施形態の断面を示す断面図である。図７においてポリメチルペンテン樹脂層（５３）は補強・調整樹脂層（５２）の両面に設けられている。ポリメチルペンテン樹脂（５３）は市販のポリオレフィンの中で融点が２３０〜２４０℃と最も高く、また、射出成形で、０．２〜０．８ｍｍ程度の薄肉成形ができ、さらに押出によるフイルム加工もできる優れた樹脂である。特に吸水性は著しく小さく、耐沸水性、耐水蒸気性に優れていることにより高温殺菌が出来ることにより調理用として最適の樹脂であり、さらに表面張力が小さく、汚れがつきにくく、離型性にすぐれ、米飯上に載置しても米飯が付着することもなく、また、調理用シートを米飯上に載置し、さらにふりかけ等をふりかけた後、調理用シートを米飯上から取り除く時にふりかけ等で形成した絵柄や文字が崩れたり、変形することもない。また米飯が、油分を含んでいたり、着色されていたり、あるいは香りの強い調理加工が施されてものでも、本発明の調理用シートは変色したり香りが調理用シートに移行する事もない。
【００２１】
また、図には示していないがポリメチルペンテン樹脂層単体あるいは補強・調整樹脂層（５２）の片面または両面に設けられているポリメチルペンテン樹脂層（５３）の厚さは通常２０〜６０μｍ、好ましくは３０〜４０μｍの範囲で選定される。また補強・調整樹脂層（５２）とポリメチルペンテン樹脂層（５３）の貼り合わせはいずれかの樹脂を熱溶融して塗布する押出コーティングあるいはフイルムになったものを貼り合わせるラミネート法の何れかにより形成されるが、本発明の調理用シートが形成されているプラスチックシート（４９〜５１）は接着剤を用いてラミネート法によって形成されている。接着剤は公知の例えば、ポリウレタン系、ポリエステル系、ポリアミド系、エポキシ系、ポリオレフイン系、カゼイン等のビヒクルを主成分とする溶剤型、水溶性型、無溶剤型等の公知のラミネート用接着剤を使用して精巧形成することが出来る。上記のようなラミネート用接着剤はロールコート、グラビアコート、ナイフコート、デップコート、スプレイコート、その他のコーティング法でコーティングし、溶剤、希釈剤等を乾燥除去して行われる。
【００２２】
次に、図８は本発明の調理用シートが形成されるプラスチックシート（５１）のまた他の一実施形態の断面を示す断面図である。図８は補強・調整樹脂層（５４）の厚みを厚くすることにより米飯上にふりかけ等により動物やキャラクター、乗物、文字等が形成されるふりかけ等の量（ふりかけ等で形成されている絵柄や文字の高さあるいは盛り量）を多くするために調理用シートを厚くするために樹脂あるいは樹脂シートを発泡させた発泡樹脂層（５４）がポリメチルペンテン樹脂層（５３）の片側に施されている。発泡樹脂層（５４）の樹脂は耐熱性、耐油性、耐水性を保持していれば特に制限はない。本発明の一実施形態として、ポリプロピレンベースの発泡樹脂層（５４）が用いられている。また発泡樹脂層（５４）の厚さは１．０〜６．０ｍｍの範囲で選択される。また、図には示していないが発泡樹脂層（５４）の両面にポリメチルペンテン樹脂層（５３）を形成する事もできる。
【００２３】
また、本発明の調理用シートが形成されるプラスチックシート（４９〜５１）の幅や長さは特に制限はなく、適宜用途等に応じて選定される。
【００２４】
【発明の効果】
本発明の調理用シートは米飯上に載置しても米飯が調理用シートに付着せず、細かい絵柄や文字等がふりかけ等で形成でき、さらに使用した後の洗浄が容易で且つ高熱殺菌を施す事ができる。また、調理用シートの作製が容易で安価であるために動物やキャラクター、乗物等の形状を形成出来る調理用シートや文字あるいはワンポイントマーク、エクスクラメーション形状を形成する調理用シートの両方を多数保持することが出来る。また、調理用シートは薄いプラスチックのシートであるために保管場所を取らずさらに捲いて保管することもできる。さらに長期間使用していても調理用シートを形成しているプラスチックシートが変色したり、異臭が移行したり、あるいは貫通孔の形状が変形することもない。
【図面の簡単な説明】
【図１】（ａ）は本発明に係る一実施形態の米飯が詰められた弁当箱の平面を示す平面図、
（ｂ）は図１（ａ）の弁当箱に本発明の調理用シートを用いてふりかけ等により動物の顔が形成された弁当箱の平面を示す平面図である。
【図２】本発明の調理用シートにより形成される絵柄の一実施形態の平面を示す平面図である。
【図３】本発明の調理用シートの一実施形態の平面を示す平面図である。
【図４】（ａ）本発明の調理用シートの他の一実施形態の平面を示す平面図、
（ｂ）は本発明の調理用シートのまた他の一実施形態の平面を示す平面図である。
【図５】（ａ）は本発明に係る調理用シートを用いて弁当箱の米飯上にふりかけ等により文字が形成された一実施形態の平面を示す平面図、
（ｂ）は図５（ａ）のふりかけ等による文字を形成させる調理用シートの一実施形態の平面を示す平面図である。
【図６】本発明の調理用シートが形成されるプラスチックシートの一実施形態の断面を示す断面図である。
【図７】本発明の調理用シートが形成されるプラスチックシートの他の一実施形態の断面を示す断面図である。
【図８】本発明の調理用シートが形成されるプラスチックシートのまた他の一実施形態の断面を示す断面図である。
【符号の説明】
１…弁当
２…弁当箱
３…米飯
４…おかず
５…動物の顔
６…ふりかけ等
７…ふりかけ等
８…ふりかけ等
９…ふりかけ等
１０…ふりかけ等
１１…ふりかけ等
１２…ふりかけ等
１３…ふりかけ等
１４…ふりかけ等
１５…ふりかけ等
１５´…ふりかけ等
１６…貫通孔
１７…貫通孔
１８…貫通孔
１９…貫通孔
２０…貫通孔
２１…貫通孔
２２…貫通孔
２３…貫通孔
２４…貫通孔
２５…貫通孔
２６…つなぎ部
２７…つなぎ部
２８…つなぎ部
２９…非塗布部
３０…非塗布部
３１…非塗布部
３２…顔面部分
３３…顔の輪郭部分
３４…貫通孔輪郭部分
３５…ふりかけ等
３６…ふりかけ等
３７…ふりかけ等
３８…ふりかけ等
３９…ふりかけ等
４０…ふりかけ等
４１…ふりかけ等
４２…ふりかけ等
４３…ふりかけ等
４４…貫通孔
４５…貫通孔
４６…貫通孔
４７…貫通孔
４８…貫通孔
４９…プラスチックシート
５０…プラスチックシート
５１…プラスチックシート
５２…補強・調整樹脂層
５３…ポリメチルペンテン層
５４…発泡樹脂層
５５…ふりかけ等による文字
１００…調理用シート
【図１】
2004329267.tif 000003
【図２】
2004329267.tif 000004
【図３】
2004329267.tif 000005
【図４】
2004329267.tif 000006
【図５】
2004329267.tif 000007
【図６】
2004329267.tif 000008
【図７】
2004329267.tif 000009
【図８】
2004329267.tif 000010